(57)【要約】【課題】フリッカーの発生を抑えつつも、正極性及び負極性の電圧の印加時間の割合を変更した場合の輝度変化を、ユーザーによって視認されにくくする。【解決手段】電気光学装置１は、所定電位に対して正極性の電圧をデータ信号として供給する正極性期間と、負極性の電圧をデータ信号として供給する負極性期間とのそれぞれにおいて、表示パネル１０の複数の走査線を所定の順番で選択し、前記正極性期間と前記負極性期間とのそれぞれにおいて、選択された走査線に対応する画素に対し、階調に応じた前記データ信号を供給し、表示パネルに含まれる画素に対して前記正極性期間に印加された電圧の実効電圧と、前記負極性期間に印加された電圧の実効電圧とを検出し、前記表示パネルで特定画像を表示しているときに、実効電圧の検出結果に基づいて、所定期間における前記正極性期間及び前記負極性期間の期間長の割合を変更する。【選択図】図１
2014164017.tif 000002
【特許請求の範囲】
【請求項１】
複数の走査線と複数のデータ線との各交差に対応して設けられた画素であって、画素電極と対向電極との間に電気光学材料を狭持する画素を含む表示パネルを備えた電気光学装置の駆動装置であって、
所定電位に対して正極性の電圧をデータ信号として供給する正極性期間と、負極性の電圧をデータ信号として供給する負極性期間とのそれぞれにおいて、前記複数の走査線を所定の順番で選択する走査線駆動回路と、
前記正極性期間と前記負極性期間とのそれぞれにおいて、選択された走査線に対応する画素に対し、階調に応じた前記データ信号を供給するデータ線駆動回路と、
前記画素に対して前記正極性期間に印加された電圧の実効電圧と、前記負極性期間に印加された電圧の実効電圧とを検出する検出回路と、
前記表示パネルで特定画像を表示しているときに、前記検出回路による実効電圧の検出結果に基づいて、所定期間における前記正極性期間及び前記負極性期間の期間長の割合を変更する制御回路と
を備える電気光学装置の駆動装置。
【請求項２】
前記特定画像は、
相対透過率が第１閾値以下、又は、前記第１閾値よりも大きい第２閾値以上の画素からなる画像である
請求項１に記載の電気光学装置の駆動装置。
【請求項３】
前記制御回路は、
前記表示パネルの各画素の階調を指定する表示データを解析した結果に基づいて、前記表示パネルの平均輝度が予め定められた値となったときに、前記割合を変更する
請求項１又は２に記載の電気光学装置の駆動装置。
【請求項４】
前記表示パネルの明るさを検出するセンサーを備え、
前記制御回路は、
前記センサーの検出結果が予め定められた条件を満たしたときに、前記割合を変更する
請求項１又は２に記載の電気光学装置の駆動装置。
【請求項５】
前記制御回路は、
前記検出回路で検出された前記正極性期間に印加された電圧の実効電圧と、前記負極性期間に印加された電圧の実効電圧との差を小さくするように前記対向電極の電圧を変更した後、当該差を小さくするように、前記割合を変更する
請求項１から４のいずれか１項に記載の電気光学装置の駆動装置。
【請求項６】
複数の走査線と複数のデータ線との各交差に対応して設けられた画素であって、画素電極と対向電極との間に電気光学材料を狭持する画素を含む表示パネルを備える電気光学装置の駆動方法であって、
所定電位に対して正極性の電圧をデータ信号として供給する正極性期間と、負極性の電圧をデータ信号として供給する負極性期間とのそれぞれにおいて、前記複数の走査線を所定の順番で選択し、
前記正極性期間と前記負極性期間とのそれぞれにおいて、選択した走査線に対応する画素に対し、階調に応じた前記データ信号を供給し、
前記画素に対して前記正極性期間に印加された電圧の実効電圧と、前記負極性期間に印加された電圧の実効電圧とを検出し、
前記表示パネルで特定画像を表示しているときに、前記実効電圧の検出結果に基づいて、所定期間における前記正極性期間及び前記負極性期間の期間長の割合を変更する
電気光学装置の駆動方法。
【請求項７】
複数の走査線と複数のデータ線との各交差に対応して設けられた画素であって、画素電極と対向電極との間に電気光学材料を狭持する画素を含む表示パネルと、
所定電位に対して正極性の電圧をデータ信号として供給する正極性期間と、負極性の電圧をデータ信号として供給する負極性期間とのそれぞれにおいて、前記複数の走査線を所定の順番で選択する走査線駆動回路と、
前記正極性期間と前記負極性期間とのそれぞれにおいて、選択された走査線に対応する画素に対し、階調に応じた前記データ信号を供給するデータ線駆動回路と、
前記画素に対して前記正極性期間に印加された電圧の実効電圧と、前記負極性期間に印加された電圧の実効電圧とを検出する検出回路と、
前記表示パネルで特定画像を表示しているときに、前記検出回路による実効電圧の検出結果に基づいて、所定期間における前記正極性期間及び前記負極性期間の期間長の割合を変更する制御回路と
を備える電気光学装置。
【請求項８】
請求項７に記載の電気光学装置を備える電子機器。
【発明の詳細な説明】
【技術分野】
【０００１】
本発明は、フリッカー等の表示不具合の発生を抑える技術に関する。
【背景技術】
【０００２】
液晶を有する電気光学装置では、液晶容量を交流駆動するのが一般的であるが、単に交流駆動しただけでは、液晶に直流成分が印加される場合がある。この種の電気光学装置では、液晶層を挟む画素電極基板と、対向電極基板との物理的な構造が異なり、対向電極から見て高位である正極性電圧が印加された場合と、対向電極から見て低位である負極性電圧が印加された場合とでは、電極と配向膜との界面や配向膜と液晶層等との界面における抵抗値が異なってしまう。これにより、正極性電圧の印加時と負極性電圧の印加時とで液晶層への実効電圧が等しくても電流量が異なり、電荷の移動量に非対称性が生じる。また、この電荷の移動量の非対称性により、液晶内部の電荷に偏りが生じて内部電界が発生する。この内部電界の影響により、実際に液晶層に印加される電圧は、駆動電圧の極性によって非対称となり、液晶層に直流成分が印加されることとなる。
【０００３】
表示パネルでのフリッカーや表示画像の焼き付き等の表示不具合の発生を抑えるための発明が、例えば特許文献１〜４に開示されている。特許文献１〜４は、正極性電圧の印加による透過率（明るさ）と負極性電圧の印加による透過率との差を小さくするように、画素電極に印加する各極性の電圧の印加時間を変更することを開示している。
【先行技術文献】
【特許文献】
【０００４】
【特許文献１】特開２０１０−７９１５１号公報
【特許文献２】特開２０１１−２２１２１８号公報
【特許文献３】特開２０１１−１５８７７６号公報
【特許文献４】特開２０１１−２２１１４７号公報
【発明の概要】
【発明が解決しようとする課題】
【０００５】
特許文献１〜４に記載の発明では、液晶層を挟持する素子基板と対向基板との特性差による直流電圧成分の方向及び大きさに応じて、正極性及び負極性の電圧の印加時間を変更する。この調整により、フリッカーの発生を抑えることはできるが、正極性及び負極性の電圧の印加時間の割合が大きく変化した場合には、各極性の電圧の実効電圧の変化によって、表示パネルにおいて大きな輝度変化が発生する。このような大きな輝度変化の発生は、ユーザーにより視認される画像の表示品位の低下の原因となることがある。
本発明は、上述した事情に鑑みてなされたもので、その目的の一つは、フリッカーの発生を抑えつつも、正極性及び負極性の電圧の印加時間の割合を変更した場合の輝度変化を、ユーザーによって視認されにくくすることである。
【課題を解決するための手段】
【０００６】
上記目的を達成するために、本発明に係る電気光学装置の駆動装置は、複数の走査線と複数のデータ線との各交差に対応して設けられた画素であって、画素電極と対向電極との間に電気光学材料を狭持する画素を含む表示パネルを備えた電気光学装置の駆動装置であって、所定電位に対して正極性の電圧をデータ信号として供給する正極性期間と、負極性の電圧をデータ信号として供給する負極性期間とのそれぞれにおいて、前記複数の走査線を所定の順番で選択する走査線駆動回路と、前記正極性期間と前記負極性期間とのそれぞれにおいて、選択された走査線に対応する画素に対し、階調に応じた前記データ信号を供給するデータ線駆動回路と、前記画素に対して前記正極性期間に印加された電圧の実効電圧と、前記負極性期間に印加された電圧の実効電圧とを検出する検出回路と、前記表示パネルで特定画像を表示しているときに、前記検出回路による実効電圧の検出結果に基づいて、所定期間における前記正極性期間及び前記負極性期間の期間長の割合を変更する制御回路とを備える。
本発明によれば、特定画像を表示しているときに、正極性期間及び負極性期間の期間長の割合を変更するので、この特定画像に応じて、フリッカーの発生を抑えつつも、正極性及び負極性の電圧の印加時間の割合を変更した場合の輝度変化を、ユーザーによって視認されにくくすることができる。
【０００７】
本発明に係る電気光学装置の駆動装置において、前記特定画像は、相対透過率が第１閾値以下、又は、前記第１閾値よりも大きい第２閾値以上の画素からなる画像としてもよい。
本発明によれば、正極性期間及び負極性期間の期間長の割合を変更した場合の輝度変化が小さくなるので、輝度変化をユーザーによって視認されにくくすることができる。
【０００８】
本発明に係る電気光学装置の駆動装置において、前記制御回路は、前記表示パネルの各画素の階調を指定する表示データを解析した結果に基づいて、前記表示パネルの平均輝度が予め定められた値となったときに、前記割合を変更するようにしてもよい。
本発明によれば、表示データに基づく画像を表示したときの表示パネルの平均輝度を特定して、正極性期間及び負極性期間の期間長の割合を変更するタイミングを決定することができる。
【０００９】
本発明に係る電気光学装置の駆動装置において、前記表示パネルの明るさを検出するセンサーを備え、前記制御回路は、前記センサーの検出結果が予め定められた条件を満たしたときに、前記割合を変更するようにしてもよい。
本発明によれば、ユーザーにより視認される画像の明るさを実測した結果に基づいて、正極性期間及び負極性期間の期間長の割合を変更するタイミングを決定することができる。
【００１０】
本発明に係る電気光学装置の駆動装置において、前記制御回路は、前記検出回路で検出された前記正極性期間に印加された電圧の実効電圧と、前記負極性期間に印加された電圧の実効電圧との差を小さくするように前記対向電極の電圧を変更した後、当該差を小さくするように、前記割合を変更するようにしてもよい。
本発明によれば、正極性期間及び負極性期間の期間長の割合を変更する前に対向電極の電圧を変更するので、正極性期間及び負極性期間の期間長の割合を変更した場合の輝度変化を小さくすることができる。
【００１１】
なお、本発明は、電気光学装置の駆動装置のほか、電気光学装置の駆動方法、電気光学装置及び電気光学装置を含む電子機器としても観念することが可能である。
【図面の簡単な説明】
【００１２】
【図１】第１実施形態に係る電気光学装置を示す図。
【図２】同電気光学装置における表示パネルの構成を示す図。
【図３】同電気光学装置における画素の構成の説明図。
【図４】同電気光学装置における検出回路の物理的構成の説明図。
【図５】同電気光学装置の表示パネルにおける走査線駆動回路の動作を示す図。
【図６】同表示パネルにおけるデータ信号の電圧波形例を示す図。
【図７】同表示パネルにおけるデータ信号の電圧波形例を示す図。
【図８】同表示パネルの表示領域における画素の書き込みの推移を示す図。
【図９】表示パネルの特性を示す図。
【図１０】同電気光学装置の表示パネルにおける走査線駆動回路の動作を示す図。
【図１１】同表示パネルの表示領域における画素の書き込みの推移を示す図。
【図１２】同表示パネルにおける走査線駆動回路の動作を示す図。
【図１３】同表示パネルの表示領域における画素の書き込みの推移を示す図。
【図１４】同電気光学装置の制御回路が実行する処理の流れを示すフローチャート。
【図１５】同制御回路が実行するＶｃｏｍ調整処理の流れを示すフローチャート。
【図１６】同表示パネルにおけるフリッカー量の推移の一例を示す図。
【図１７】同表示パネルのＶ−Ｔ特性を示す図。
【図１８】第２実施形態で制御回路が実行する処理の流れを示すフローチャート。
【図１９】本発明の一実施形態に係るプロジェクターの構成を示す平面図。
【発明を実施するための形態】
【００１３】
以下、本発明の実施の形態について図面を参照しつつ説明する。
＜第１実施形態＞
図１は、本発明の第１実施形態に係る電気光学装置１の構成を示すブロック図である。図１に示すように、電気光学装置１は、表示パネル１０と、処理回路２０と、検出回路３０とを備える。処理回路２０は、表示パネル１０を制御する回路モジュールであり、例えばＦＰＣ（flexible printed circuit）基板によって表示パネル１０に接続される。具体的には、処理回路２０は、制御回路２１と、表示データ処理回路２２と、Ｄ／Ａ変換回路２３とを備える。
【００１４】
制御回路２１は、外部の上位装置（図示略）から供給される同期信号Ｖｓｙｎｃに同期して表示パネル１０を制御するための、各種制御信号を生成する。この制御信号については後で説明する。また、制御回路２１は、表示データ処理回路２２を制御する。
表示データ処理回路２２は、上位装置から供給される表示データＶｉｄｅｏを、制御回路２１による制御に従って、内部メモリー（図示略）に一旦記憶した後、表示パネル１０の駆動に同期して読み出す。表示データＶｉｄｅｏは、表示パネル１０における画素の階調を指定するデータである。表示データＶｉｄｅｏは、周期１６．７ミリ秒（周波数でいうと６０Ｈｚ）で、１フレーム分（表示パネル１０の全画素分）を供給する。ここにおいて、フレームとは、表示パネル１０を駆動することによって、画像の１コマ分を表示させるのに要する期間をいう。
また、表示データ処理回路２２は、１フレームの表示データＶｉｄｅｏを解析して、この表示データＶｉｄｅｏに基づいて表示パネル１０に画像を表示したときのＡＰＬ（Average Picture Level）を測定する。ＡＰＬは、表示パネル１０に配列した全画素における平均輝度のことである。表示データ処理回路２２は、ＡＰＬの測定結果を、制御回路２１へ出力する。
Ｄ／Ａ変換回路２３は、制御回路２１による制御に従って、表示データ処理回路２２により読み出された表示データを、アナログのデータ信号Ｖｉｄに変換して、表示パネル１０へ出力する。
【００１５】
図２は、表示パネル１０の構成を示す図である。図２に示すように、表示パネル１０は、表示領域１００の周辺に、走査線駆動回路１３０及びデータ線駆動回路１４０を内蔵した、周辺回路内蔵型の表示パネルである。表示領域１００では、４８０行の走査線１１２が行（Ｘ）方向に延在するように設けられ、また、６４０列のデータ線１１４が列（Ｙ）方向に延在するように、且つ、各走査線１１２と互いに電気的に絶縁を保つように設けられ、更に、４８０行の走査線１１２と６４０列のデータ線１１４との各交差に対応して、画素１１０がそれぞれ配列している。
本実施形態では、表示領域１００において、画素１１０が縦４８０行×横６４０列でマトリクス状に配列するが、本発明をこの配列に限定する趣旨ではない。
【００１６】
図３は、画素１１０の構成を説明する図である。図３には、ｉ行及びこれと１行下で隣接する（ｉ＋１）行と、ｊ列及びこれと１列右で隣接する（ｊ＋１）列との交差に対応する２×２の計４画素分の構成が示されている。ｉ、（ｉ＋１）は、画素１１０が配列する行を一般的に示す場合の記号であって、本実施形態では、１以上４８０以下の整数である。また、ｊ、（ｊ＋１）は、画素１１０が配列する列を一般的に示す場合の記号であって、本実施形態では、１以上６４０以下の整数である。
【００１７】
各画素１１０は、ｎチャネル型のＴＦＴ１１６と液晶容量１２０とを含む。ここで、各画素１１０については互いに同一構成なので、ｉ行ｊ列に位置する画素で代表させて説明する。ｉ行ｊ列の画素１１０におけるＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。また、液晶容量１２０の他端は、対向電極１０８に接続されている。この対向電極１０８は、全ての画素１１０にわたって共通であって、時間的に一定の電圧ＬＣｃｏｍが印加されている。ここでの電圧ＬＣｃｏｍは、対向電極１０８に供給されるコモン信号によって、共通電極電位Ｖｃｏｍに設定されている。
【００１８】
表示パネル１０は、特に図示しないが、素子基板と対向基板との一対の基板が一定の間隙を保って貼り合わせられるとともに、この間隙に液晶が封止された構成となっている。このうち、素子基板には、走査線１１２、データ線１１４、ＴＦＴ１１６及び画素電極１１８が、走査線駆動回路１３０やデータ線駆動回路１４０とともに形成される。対向基板には対向電極１０８が形成されている。素子基板と対向基板とは、電極形成面が互いに対向するように、一定の間隙を保って貼り合わせられている。このため、本実施形態において液晶容量１２０は、画素電極１１８と対向電極１０８とが、電気光学材料としての液晶１０５を挟持することによって構成されることとなる。
なお、本実施形態では、液晶容量１２０において保持される電圧実効値がゼロに近ければ、液晶容量１２０を通過する光の透過率（具体的には相対透過率）が最大となって白色表示になる一方、電圧実効値が大きくなるにつれて透過する光量が減少して、相対透過率が最小のときに黒色表示になる、ノーマリーホワイトモードに設定されている。
【００１９】
この構成において、走査線１１２に選択電圧を印加し、ＴＦＴ１１６をオン（導通）させるとともに、画素電極１１８に、データ線１１４及びオン状態のＴＦＴ１１６を介して、階調（明るさ）に応じた電圧のデータ信号を供給すると、選択電圧を印加した走査線１１２とデータ信号を供給したデータ線１１４との交差に対応する液晶容量１２０に、階調に応じた電圧実効値を保持させることができる。
従って、液晶容量１２０を透過する光は、画素毎に異ならせることが可能であり、これにより、表示領域１００において画像が形成される。
【００２０】
なお、走査線１１２が非選択電圧になると、ＴＦＴ１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素毎に形成されている。この蓄積容量１０９の一端は、画素電極１１８（ＴＦＴ１１６のドレイン）に接続される一方、その他端は、全画素にわたって容量線１０７に共通接続されている。容量線１０７は、時間的に一定の電位、例えば、対向電極１０８と同じ電圧ＬＣｃｏｍに保たれている。
【００２１】
走査線駆動回路１３０は、各フィールドにおいて、走査信号Ｇ１、Ｇ２、Ｇ３、・・・、Ｇ４８０を、それぞれ１、２、３、・・・、４８０行目の走査線１１２に供給する。ここでは、走査線駆動回路１３０は、選択した走査線への走査信号を電圧Ｖｄｄに相当するＨレベルとし、それ以外の走査線への走査信号を非選択電圧ＶＬ（ここでは接地電位Ｇｎｄ）に相当するＬレベルとする。
【００２２】
図５は、表示パネル１０における走査線駆動回路１３０の動作を示す図である。図５には、走査線駆動回路１３０による走査信号Ｇ１〜Ｇ４８０の出力タイミングを、スタートパルスＤｙａ、Ｄｙｂ及びクロック信号Ｃｌｙと関連付けて示したタイミングチャートを示す。
図５に示すように、各走査線１１２は、１フレームにおいてそれぞれ２回選択される。表示データＶｉｄｅｏは、上述したように周期１６．７ミリ秒で供給されるので、１フレームの期間は、１６．７ミリ秒に一致する。制御回路２１は、デューティー比が５０％のクロック信号Ｃｌｙを、１フレームの期間にわたって、走査線数に等しい４８０周期分出力する。
なお、図５においては、クロック信号Ｃｌｙの１周期分の期間をＨと表記している。
【００２３】
制御回路２１は、クロック信号Ｃｌｙの１周期分のパルス幅を有するスタートパルスＤｙａ、Ｄｙｂを、それぞれクロック信号ＣｌｙがＨレベルの立ち上がり時に出力する。具体的には、制御回路２１は、スタートパルスＤｙａを１フレームの期間の最初（すなわち第１フィールドの最初）に出力する一方、スタートパルスＤｙｂを、スタートパルスＤｙｂを出力してからクロック信号Ｃｌｙの２４０周期分を出力した（すなわち１フレームの半分期間が経過した）タイミングＴで出力する。
詳しくは後で説明するが、制御回路２１は、スタートパルスＤｙｂの出力タイミングを、タイミングＴに対し、クロック信号Ｃｌｙの周期を単位とした分だけ時間的に前方側又は後方側にずらすことがある。
【００２４】
なお、１フレームの期間のうち、スタートパルスＤｙａが出力されてからスタートパルスＤｙｂが出力されるまでの期間を第１フィールドとし、スタートパルスＤｙｂが出力されてから次のスタートパルスＤｙａが出力されるまでの期間を第２フィールドとする。
ここで、スタートパルスＤｙａ、Ｄｙｂは交互に出力され、このうち、スタートパルスＤｙａは、１フレームの開始タイミング、すなわち１６．７ミリ秒毎に出力される。このため、スタートパルスＤｙａを特定すると、必然的にスタートパルスＤｙｂも特定できるので、図１、図２等においては、特に両者を区別することなく、スタートパルスＤｙとして表記している場合がある。
【００２５】
走査線駆動回路１３０は、スタートパルスＤｙａ、Ｄｙｂ及びクロック信号Ｃｌｙに従って、図５に示す走査信号Ｇ１〜Ｇ４８０を出力する。具体的には、走査線駆動回路１３０は、走査信Ｇ１〜Ｇ４８０について、スタートパルスＤｙａが供給されると、クロック信号ＣｌｙがＬレベルの期間において順次Ｈレベルとさせる一方、スタートパルスＤｙｂが供給されると、クロック信号ＣｌｙがＨレベルの期間において順次Ｈレベルとさせる。
このため、スタートパルスＤｙａの供給によって走査線１１２は、或るフレームの第１フィールドから第２フィールドまでにわたって画面下方向に向かって１、２、３、４、・・・、４８０行目の順番で、クロック信号Ｃｌｙの半周期の期間をおいて選択される。一方、スタートパルスＤｙｂの供給によって走査線１１２は、或るフレームの第２フィールドから次フレームの第１フィールドまでにわたって画面下方向に向かって１、２、３、４、・・・、４８０行目の順番で、スタートパルスＤｙａの供給を契機とする選択の合間に選択される。
【００２６】
データ線駆動回路１４０は、サンプリング信号出力回路１４２と、各データ線１１４にそれぞれ対応して設けられたｎチャネル型のＴＦＴ１４６とを有する。サンプリング信号出力回路１４２は、制御回路２１による制御信号Ｃｔｒｌ−ｘに従って、いずれかの走査線１１２が選択され当該走査線に供給される走査信号がＨレベルとなる期間に、順次排他的にＨレベルとなるサンプリング信号Ｓ１、Ｓ２、Ｓ３、・・・、Ｓ６４０を、データ線１１４の各々に対応するように出力する。
なお、制御信号Ｃｒｔｌ−ｘは、実際にはスタートパルスやクロック信号であるが、本発明では直接関係しないので、説明を省略している。また、走査信号がＨレベルとなる期間は、例えば、クロック信号Ｃｌｙの半分周期の期間よりも若干狭められている。
【００２７】
ところで、図１における制御回路２１は、走査線駆動回路１３０により選択された走査線１１２に位置する画素１行分の表示データＶｉｄｅｏを、サンプリング信号出力回路１４２によるサンプリング信号Ｓ１〜Ｓ６４０の出力に合わせて、正極性又は負極性のデータ信号Ｖｉｄに変換する。具体的には、Ｄ／Ａ変換回路２３は、クロック信号ＣｌｙがＬレベルのときに選択された行に位置する画素のデータ信号Ｖｉｄについては正極性に、クロック信号ＣｌｙがＨレベルのときに選択された行に位置する画素のデータ信号Ｖｉｄについては負極性に、それぞれ変換する。
なお、正極性とは、画素電極１１８への印加電圧を対向電極１０８への印加電圧ＬＣｃｏｍよりも高位側とする場合をいい、負極性とは、画素電極１１８への印加電圧を対向電極１０８への印加電圧ＬＣｃｏｍよりも低位側とする場合をいう。
【００２８】
対向電極１０８に印加される電圧ＬＣｃｏｍは、工場出荷時において、基準電圧Ｖｃよりも低位側に設定される。これは、画素電極をＴＦＴで駆動するアクティブマトリクス型の電気光学装置では、いわゆるプッシュダウン（突き抜け、フィードスルーなどとも呼ばれる）が発生することや、液晶容量１２０のリークが正極性の電圧を保持する場合と負極性の電圧を保持する場合とで異なること等による。
仮に電圧ＬＣｃｏｍを基準電圧Ｖｃと一致させた場合、負極性書込による液晶容量１２０の電圧実効値が、正極性書込による電圧実効値よりも若干大きくなってしまう（ＴＦＴ１１６がｎチャネルの場合）ので、この差が相殺されるような最適値に、電圧ＬＣｃｏｍを基準電圧Ｖｃよりも低位側にオフセットして設定している。
【００２９】
図１に示す検出回路３０は、光センサー３１と、データ解析部３２とを有する。光センサー３１は、表示パネル１０の画素の明るさを検知するセンサーである。光センサー３１は、例えばフォトダイオードを有し、フォトダイオードに光が入射すると、フォトダイオードに流れる電流の変化を電流−電圧変換回路により電圧の変化に変換し、画素の明るさを示すアナログの信号Ｓｂを、データ解析部３２へ出力する。本実施形態においては、光センサー３１から出力される信号Ｓｂは、電圧値によって画素の明るさを表しており、検知した明るさに応じて電圧が変化する。
【００３０】
図４は、検出回路３０の物理的構成を説明する図である。図４に示すように、光センサー３１は、表示パネル１０の近傍に配置される。表示パネル１０を透過した光は、図４において矢印で示したように、ミラー３３によって光センサー３１に導かれる。
なお、本実施形態においては、４８０行目の画素の光がミラー３３によって光センサー３１に導かれ、この画素（検出用画素）の明るさが検知される。
【００３１】
データ解析部３２は、光センサー３１から供給される信号Ｓｂを取得し、取得した信号ｓｂに基づいて、画素の明るさに関する情報を出力する。データ解析部３２は、画素が正極性電圧を保持している正極性期間（正極性フィールド）と、負極性電圧を保持している負極性期間（負極性フィールド）とで、どちらの方が明るい状態かを信号Ｓｂに基づいて検知し、検知結果を示す信号ｓａ１を、制御回路２１へ出力する。また、データ解析部３２は、信号Ｓｂをデジタル信号に変換して高速フーリエ変換処理を行い、画素が正極性電圧を保持している時の明るさと、負極性電圧を保持している時の明るさの差をフリッカー量として検知し、検知したフリッカー量を示す信号ｓａ２を、制御回路２１へ出力する。
なお、フリッカー量は、正極性電圧保持時の実効電圧と負極性電圧保持時の実効電圧の差に対応するため、フリッカー量を得るということは、正極性電圧保持時の実効電圧と負極性電圧保持時の実効電圧の差を得ていることと等しい。すなわち、検出回路３０は、正極性電圧保持時の実効電圧と、負極性電圧保持時の実効電圧との差を検出する回路といって差し支えない。
【００３２】
前述したように、制御回路２１は、スタートパルスＤｙｂの出力タイミングを制御する。具体的には、制御回路２１は、スタートパルスＤｙｂの出力タイミングを指定するための設定値として、予め定められた第１設定値と第２設定値とを記憶している。なお、本実施形態においては、第１設定値は、マイナスの整数の値であり、第２設定値は、プラスの整数の値である。
また、制御回路２１は、スタートパルスＤｙｂの出力タイミングを指定するための値を格納するレジスター（図示略）を有している。制御回路２１は、レジスターに格納された値に応じて、スタートパルスＤｙｂの出力タイミングを制御する。
次に、スタートパルスＤｙｂの出力タイミングの制御について、より具体的に説明する。
【００３３】
まず、制御回路２１は、上位装置から供給される表示データＶｉｄｅｏを、表示データ処理回路２２の内部メモリーに記憶させた後、表示パネル１０において或る行の走査線１１２を選択するとき、当該行の表示データを記憶速度の倍の速度で読み出すとともに、表示データの読み出しに合わせて、サンプリング信号Ｓ１〜Ｓ６４０が順番にＨレベルとなるように、制御信号Ｃｔｒｌ−ｘを介してサンプリング信号出力回路１４２を制御する。
なお、読み出された表示データは、Ｄ／Ａ変換回路２３によって、アナログのデータ信号Ｖｉｄに変換される。
【００３４】
ここで、制御回路２１は、レジスターに格納されている値が「０」であると、タイミングＴにおいてスタートパルスＤｙｂを供給する。制御回路２１は、タイミングＴにおいてスタートパルスＤｙｂを供給する場合、第１フィールドにおいて、走査線１１２が２４１、１、２４２、２、２４３、３、・・・、４８０、２４０行目という順番で選択される。このため、制御回路２１は、はじめに２４１行目の走査線１１２が選択されるように、走査線駆動回路１３０を制御する。また、制御回路２１は、表示データ処理回路２２に対し、内部メモリーに記憶された２４１行目に相当する表示データＶｉｄｅｏを倍速で読み出させ、Ｄ／Ａ変換回路２３に対し、負極性のデータ信号Ｖｉｄに変換するように制御するとともに、この読み出しに合わせて、サンプリング信号Ｓ１〜Ｓ６４０がこの順番で排他的にＨレベルとなるようにサンプリング信号出力回路１４２を制御する。サンプリング信号Ｓ１〜Ｓ６４０が順番にＨレベルになると、ＴＦＴ１４６が順番にオンして画像信号線１７１に供給されたデータ信号Ｖｉｄが１〜６４０列目のデータ線１１４に順番にサンプリングされる。
一方、２４１行目の走査線１１２が選択されて走査信号Ｇ２４１がＨレベルになると、２４１行目に位置する画素１１０におけるＴＦＴ１１６がすべてオンする。このため、データ線１１４にサンプリングされたデータ信号Ｖｉｄの負極性電圧がそのまま画素電極１１８に印加される。このため、２４１行目であって１、２、３、４、・・・、６３９、６４０列の画素における液晶容量１２０には、表示データＶｉｄｅｏで指定された階調に応じた負極性電圧が書き込まれて、保持されることになる。
【００３５】
次に、制御回路２１は、１行目の走査線１１２が選択されるように、走査線駆動回路１３０を制御する。また、制御回路２１は、表示データ処理回路２２に対し、内部メモリーに記憶された１行目に相当する表示データＶｉｄｅｏを倍速で読み出させ、Ｄ／Ａ変換回路２３に対し、正極性のデータ信号Ｖｉｄに変換するように制御するとともに、この読み出しに合わせて、サンプリング信号Ｓ１〜Ｓ６４０がこの順番で排他的にＨレベルとなるようにサンプリング信号出力回路１４２を制御する。
１行目の走査線１１２が選択されて走査信号Ｇ１がＨレベルになると、１行目に位置する画素１１０におけるＴＦＴ１１６がすべてオンし、これにより、データ線１１４にサンプリングされたデータ信号Ｖｉｄの電圧が画素電極１１８に印加される。このため、１行目であって１〜６４０列の画素における液晶容量１２０には、表示データＶｉｄｅｏで指定された階調に応じた正極性の電圧が書き込まれて、保持されることになる。
【００３６】
以下、第１フィールドにおいては、同様な電圧書込の動作が、２４２、２、２４３、３、・・・、４８０、２４０行目という順番で実行される。これにより、１〜２４０行目の画素に対しては階調に応じた正極性電圧が書き込まれ、２４１〜４８０行目の画素に対しては階調に応じた負極性電圧が書き込まれて、それぞれ保持されることになる。
なお、タイミングＴにおいてスタートパルスＤｙｂが供給される場合であれば、第２フィールドにおいて、走査線１１２が１、２４１、２、２４２、３、２４３、４、２４４、・・・、２４０、４８０行目という順番で選択されるともに、同一行における書込極性が反転される。このため、１〜２４０行目の画素に対しては階調に応じた負極性電圧が書き込まれ、２４１〜４８０行目の画素に対しては階調に応じた正極性電圧が書き込まれて、それぞれ保持されることになる。
【００３７】
図６及び図７は、表示パネル１０におけるデータ信号の電圧波形例を示す図である。図６には、第１フィールドにおける１行目の走査線の走査線が選択される期間におけるデータ信号Ｖｉｄの電圧波形の一例を示している。図６及び図７において、電圧Ｖｂ（＋）、Ｖｂ（−）は、それぞれ最低階調の黒色に相当する正極性、負極性電圧であり、基準電圧Ｖｃを中心に対称の関係にある。基準電圧Ｖｃは、データ信号Ｖｉｄの振幅中心であり、電圧Ｖｂ（＋）、Ｖｂ（−）の中間の電圧である。電圧Ｖｗ（＋）、Ｖｗ（−）は、それぞれ最大階調の白色に相当する正極性、負極性電圧であり、基準電圧Ｖｃを中心に対称の関係にある。
なお、本実施形態においては、特に説明のない限り、接地電位Ｇｎｄを電圧の基準とする。
【００３８】
第１フィールドでは、ｉ行目よりも先に（ｉ＋２４０）行目の走査線が選択されるので、走査信号Ｇ（ｉ＋２４０）がＨレベルになる期間のうち、例えばサンプリング信号Ｓ１がＨレベルになる期間に、データ信号Ｖｉｄは、ｉ行１列の画素の階調に応じた負極性電圧となり、以降、サンプリング信号の変化に合わせて、２、３、４、・・・、６４０列目の画素の階調に応じた負極性電圧に変化する。
続いて選択されるｉ行目では、正極性書込が指定されるので、走査信号Ｇ１がＨレベルになる期間のうち、例えばサンプリング信号Ｓ１がＨレベルになる期間に、データ信号Ｖｉｄは、ｉ行１列の画素の階調に応じた正極性電圧となり、以降、サンプリング信号の変化に合わせて、２、３、４、・・・、６４０列の画素の階調に応じた正極性電圧に変化する。
なお、第２フィールドでは、ｉ行目よりも後に（ｉ＋２４０）行目の走査線が選択されるので、走査信号Ｇｉが先にＨレベルになるとともに、書込極性が反転するので、データ信号Ｖｉｄの電圧波形は図７に示される通りとなる。
図６及び図７においてデータ信号Ｖｉｄの電圧を示す縦スケールは、便宜的に他の信号における縦スケールよりも拡大してある。また、サンプリング信号Ｓ６４０がＬレベルに変化してからサンプリング信号Ｓ１がＨレベルに変化するまでの期間にわたって黒色に相当する電圧となっているが、その理由は、タイミングずれなどの理由により誤って画素に書き込まれても、表示に寄与させないためである。
【００３９】
図８は、表示パネル１０の表示領域１００における画素の書き込みの推移を示す図である。図８には、スタートパルスＤｙｂがタイミングＴで供給される場合において、各行の書込状態を連続するフレームにわたった時間経過とともに示している。図８に示すように、本実施形態では、第１フィールドにおいて２４１、２４２、２４３、・・・、４８０行目の画素では負極性の書き込みがなされ、１、２、３、・・・、２４０行目の画素では正極性の書き込みがなされて、次の書き込みまで保持される。一方、第２フィールドにおいて１、２、３、・・・、２４０行目の画素では負極性の書き込みがなされ、２４１、２４２、２４３、・・・、４８０行目の画素では正極性の書き込みがなされて、同様に次の書き込みまで保持される。
レジスターの値が「０」であり、スタートパルスＤｙｂがタイミングＴで供給される場合、第１及び第２フィールドの期間は、クロック信号Ｃｌｙの２４０周期分であるから、各画素において液晶容量１２０に正極性電圧が保持される期間と負極性電圧が保持される期間とは半分ずつとなる。
【００４０】
本実施形態において、スタートパルスＤｙｂがタイミングＴで供給される場合、第１及び第２フィールドの期間は互いに等しく、各画素において液晶容量１２０に正極性電圧が保持される期間と負極性電圧が保持される期間とはフレームの期間の半分ずつとなるので、液晶容量１２０には直流成分が印加されないはずである。しかしながら、経年変化などによりＴＦＴのプッシュダウン量や、液晶容量１２０におけるリーク量が工場出荷時から変化したとき、電圧ＬＣｃｏｍ（共通電極電位Ｖｃｏｍ）は、もはや最適値ではなくなり、液晶容量１２０に直流成分が印加され、フリッカーが発生することとなる。
また、表示パネル１０は、個々に特性が異なり、制御回路２１のレジスターに記憶される設定値を「０」にしても、一定時間が経過するとフリッカーを最小にする電圧ＬＣｃｏｍを増やす必要があるパネルと、フリッカーを最小にする電圧ＬＣｃｏｍを減らす必要があるパネルとがある。この場合、レジスターの値を「０」にしても、フリッカーが発生することになる。
【００４１】
図９は、制御回路２１のレジスターに記憶される設定値と、レジスターに記憶される設定値に基づいて電圧を印加して一定時間経過した後に生じるフリッカーについて、フリッカー量を最小にする電圧ＬＣｃｏｍの変化量を表した図である。図９のグラフにおいて、横軸はレジスターに記憶される設定値を表し、この設定値が正の場合には、１フレームにおいて正極性フィールドの期間の方が長く、この設定値が負の場合には、１フレームにおいて負極性フィールドの期間の方が長いことを示している。縦軸は、一定時間経過した後に、どれだけ電圧ＬＣｃｏｍを変更するとフリッカーを最小にするかを表している。
【００４２】
図９の（１）のパネルは、レジスターに記憶される設定値が「０」のときにおいて、一定時間が経過した後にフリッカーを最小にするには、電圧ＬＣｃｏｍに印加する電圧を増やす必要のあるパネルである。図９の（２）のパネルは、レジスターに記憶される設定値が「０」のときにおいて、一定時間が経過した後にフリッカーを最小にするには、電圧ＬＣｃｏｍに印加する電圧を減らす必要のあるパネルである。
なお、第１設定値は、（１）及び（２）の表示パネルの両方について、一定時間経過後にフリッカーを最小にするには、電圧ＬＣｃｏｍを増やす必要が生じる。また、第２設定値は、（１）及び（２）の表示パネルの両方について、一定時間経過後にフリッカーを最小にするには、電圧ＬＣｃｏｍを減らす必要が生じる。
【００４３】
ここで、制御対象となる表示パネルの特性のばらつきが、図９に示す（１）と（２）との間に収まると仮定した場合、レジスターに記憶される設定値を第１設定値以下の値とすると、フリッカーを最小にするための電圧ＬＣｃｏｍの変化は必ず正となる。一方で、レジスターに記憶される設定値を第２設定値以上の値とした場合、フリッカーを最小にするための電圧ＬＣｃｏｍの変化は必ず負となる。
【００４４】
本実施形態では、フリッカーの発生を抑えるために、レジスターに格納された設定値の値に応じてスタートパルスＤｙｂのタイミングを変更し、液晶容量１２０への直流成分の印加を制御する。例えば、レジスターに格納された値が「−１」である場合、制御回路２１は、図１０に示すように、スタートパルスＤｙｂを、タイミングＴよりもクロック信号Ｃｌｙの１周期分だけ早いタイミングＴ（−１）に変更して出力する。すると、第１フィールドの期間はクロック信号Ｃｌｙの２３９周期分となるのに対し、第２フィールドの期間はクロック信号Ｃｌｙの２４１周期分となる。これにより、図１１に示すように、スタートパルスＤｙｂの供給を契機とする選択により書き込まれる負極性電圧の保持期間は、スタートパルスＤｙａの供給を契機とする選択により書き込まれる正極性電圧の保持期間よりも長くなる。したがって、画素においては、負極性電圧で保持された電圧実効値が高められ、正極性電圧で保持された電圧実効値が低められる。
【００４５】
負極性電圧で保持された電圧実効値が正極性電圧で保持された電圧実効値より高くなると、画素は、負極性電圧を保持した時に明るくなり、正極性電圧を保持した時の暗くなる方向に変化する。
なお、レジスターに格納した値が「−２」であれば、制御回路２１は、スタートパルスＤｙｂを、タイミングＴよりもクロック信号Ｃｌｙの２周期分だけ早いタイミングに変更して出力する。すると、画素は、レジスターに格納した値が「−１」の場合より、負極性電圧で保持された電圧実効値が更に高められ、正極性電圧で保持された電圧実効値が更に低められる。
【００４６】
一方、レジスターに格納した値が「＋１」である場合、制御回路２１は、図１２に示すように、スタートパルスＤｙｂを、タイミングＴよりもクロック信号Ｃｌｙの１周期分だけ遅いタイミングＴ（＋１）に変更して出力する。すると、第１フィールドの期間はクロック信号Ｃｌｙの２４１周期分となるのに対し、第２フィールドの期間はクロック信号Ｃｌｙの２３９周期分となる。これにより、図１３に示されるように、スタートパルスＤｙｂの供給を契機とする選択により書き込まれる負極性電圧の保持期間は、スタートパルスＤｙａの供給を契機とする選択により書き込まれる正極性電圧の保持期間よりも短くなる。したがって、画素においては、正極性電圧で保持された電圧実効値が高められ、負極性電圧で保持された電圧実効値が低められる。
【００４７】
正極性電圧で保持された電圧実効値が負極性電圧で保持された電圧実効値より高くなると、画素は、正極性電圧を保持したときに明るくなり、負極性電圧を保持したときに暗くなる方向に変化する。
なお、レジスターに格納した値が「＋２」であれば、制御回路２１は、スタートパルスＤｙｂを、タイミングＴよりもクロック信号Ｃｌｙの２周期分だけ遅いタイミングに変更して出力する。すると、画素は、レジスターに格納した値が「＋１」の場合よりも、正極性で保持された電圧実効値が更に高められ、負極性で保持された電圧実効値が更に低められる。
【００４８】
ところで、電気光学装置１は、画素が正極性電圧を保持した場合と、負極性電圧を保持した場合とで、いずれの場合において画素が明るいか（又は暗いか）を検知する。正極性電圧を保持した場合と負極性電圧を保持した場合とのどちらで画素が明るいかを検知すれば、正極性電圧を保持した場合と負極性電圧を保持した場合のどちらで電圧実効値が高められているかが分かる。電気光学装置１は、この検知結果に応じて、対向電極１０８の電圧、正極性電圧の保持期間及び負極性電圧の保持期間を制御し、フリッカーが現れるのを抑える。以下、この動作について説明する。
【００４９】
まず、制御回路２１は、表示パネル１０の駆動を開始するとスタートパルスＤｙｂの出力タイミングを指定するためにレジスターに「０」を格納する。次に、電気光学装置１においては、上位装置から同期信号Ｖｓｙｎｃと表示データＶｉｄｅｏが処理回路２０に供給されると、データ信号Ｖｉｄが表示パネル１０に供給される。
なお、４８０行目の画素については、光センサー３１により画素の明るさを測定する検出用画素であるため、表示データ処理回路２２は、表示データＶｉｄｅｏで指定された階調に関係なく、４８０行目の画素が常に最高の白と最低の黒との中間階調となるように、データ信号Ｖｉｄを供給する。また、制御回路２１は、供給された同期信号Ｖｓｙｎｃに応じて表示パネル１０を駆動する。ここで、制御回路２１は、レジスターに格納されている値が「０」であるため、スタートパルスＤｙｂをタイミングＴで出力する。
【００５０】
表示パネル１０が駆動されると、光センサー３１により４８０行目の画素の明るさが測定され、信号Ｓｂがデータ解析部３２へ供給される。データ解析部３２は、画素が正極性電圧を保持しているときと、負極性電圧を保持しているときとでどちらの方が明るい状態かを信号Ｓｂに基づいて検知するとともに、信号Ｓｂをデジタル信号に変換して高速フーリエ変換処理を行い、画素が正極性電圧を保持しているときの明るさと、負極性電圧を保持しているときの明るさの差を検知する。データ解析部３２は、フリッカーの検出結果を示す信号ｓａ１、ｓａ２を、制御回路２１へ出力する。データ解析部３２は、フリッカーの検出結果を示す信号ｓａ１、ｓａ２を制御回路２１へ出力する処理を、例えば所定期間毎に繰り返すなどして、継続して行う。
【００５１】
図１４は、制御回路２１が実行する処理の流れを示すフローチャートである。図１５は、後述するステップＳＴ４のＶｃｏｍ調整処理の流れを示すフローチャートである。図１６は、フリッカー量の推移の一例を示す図である。
制御回路２１は、電気光学装置１への通電を開始すると、予め定められた一定時間（例えば２秒）をカウントする（ステップＳＴ１）。この一定時間は２秒に限定されるものではなく、２秒未満又は２秒を超える時間であってもよい。制御回路２１は、一定時間をカウントし終えると、データ解析部３２から信号ｓａ１、ｓａ２を取得する（ステップＳＴ２）。ここで取得する信号ｓａ１、ｓａ２は、ステップＳＴ１の処理で取得した信号ｓａ１、ｓａ２よりも、一定時間経過後のフリッカーの検出結果を示す。
【００５２】
次に、制御回路２１は、ステップＳＴ２の処理で取得した信号ｓａ１、ｓａ２に基づいて、表示パネル１０に発生するフリッカーのフリッカー量が閾値以上かどうかを判断する（ステップＳＴ３）。この閾値は、ユーザーが表示パネル１０を見たときにフリッカーとして認識されない値に設定されている。
表示パネル１０は、図９に示すように個体差があり、１フレームにおける正極性フィールド及び負極性フィールドの期間長の割合が同じであっても、時間が経過すると液晶容量１２０に直流成分が作用し、正極性電圧で保持された電圧実効値と、負極性電圧で保持された電圧実効値とで差が生じてくるものがある。正極性電圧で保持された電圧実効値と、負極性電圧で保持された電圧実効値とで差が増加すると、フリッカーが増加する。
制御回路２１は、フリッカー量が閾値未満と判断した場合には（ステップＳＴ３；ＮＯ）、ステップＳＴ２の処理に戻る。すなわち、フリッカー量は閾値未満である期間においては、制御回路２１は、ステップＳＴ２、ＳＴ３の処理を繰り返し実行し、フリッカーの検出結果を示す信号ｓａ１、ｓａ２を、一定時間が経過する毎に取得する（図１６の時刻ｔ０〜ｔ１参照）。
一方、制御回路２１は、フリッカー量が閾値以上であると判断すると（ステップＳＴ３；ＹＥＳ）、Ｖｃｏｍ調整処理を実行する（ステップＳＴ４）。Ｖｃｏｍ調整処理は、対向電極１０８の電圧ＬＣｃｏｍを規定する共通電極電位Ｖｃｏｍを調整する処理である（図１６の時刻ｔ１参照）。
【００５３】
Ｖｃｏｍ調整処理の詳細を、図１５を参照して説明する。
制御回路２１は、フリッカーの検出結果を示す信号ｓａ１、ｓａ２をデータ解析部３２から取得する（ステップＳＴ４１）。このフリッカーの検出結果は、最新の検出結果であることが好ましく、例えば、直前のステップＳＴ２の処理で取得したものであってもよい。
次に、制御回路２１は、Ｖｃｏｍ設定値に「１」を加算する（ステップＳＴ４２）。対向電極１０８の電圧ＬＣｃｏｍは、Ｖｃｏｍ設定値に応じた大きさとなり、その値がプラスの方向に大きいほど高い電圧となる。Ｖｃｏｍ設定値が「１」増える毎に、予め決められた設定電位が共通電極電位Ｖｃｏｍに加算されて、対向電極１０８の電圧ＬＣｃｏｍが高くなる。反対に、対向電極１０８の電圧ＬＣｃｏｍは、Ｖｃｏｍ設定値の値がマイナスの方向に大きいほど低い電圧となる。Ｖｃｏｍ設定値が「１」減る毎に、予め決められた設定電位が共通電極電位Ｖｃｏｍから減じられて、対向電極１０８の電圧ＬＣｃｏｍが低くなる。設定電位は、例えば数ｍＶであるが、それ以外の電圧（例えば数十ｍＶ）に設定されていてもよい。
【００５４】
次に、制御回路２１は、信号ｓａ１、ｓａ２をデータ解析部３２から取得する（ステップＳＴ４３）。対向電極１０８に印加される電圧が変更されると、正極性電圧で保持された電圧実効値と負極性電圧で保持された電圧実効値とに差が生じ、画素においてはフリッカーが生じる。ここで、制御回路２１は、取得した信号からステップＳＴ４２の処理後のフリッカー量を特定し、フリッカー量が増加したかどうかを判断する（ステップＳＴ４４）。制御回路２１は、フリッカー量が増加していないと判断した場合には（ステップＳＴ４４；ＮＯ）、ステップＳＴ４２の処理に戻る。制御回路２１は、処理ステップＳＴ４２〜ＳＴ４４の処理を、フリッカー量が増加するまで繰り返し実行する（図１６の時刻ｔ１１〜ｔ１２参照）。
【００５５】
制御回路２１は、ステップＳＴ４４の処理でフリッカー量が増加したと判断した場合（ステップＳＴ４４；ＹＥＳ）、この時点のＶｃｏｍ設定値から「１」を減じる（ステップＳＴ４５）。これにより、Ｖｃｏｍ設定値は、フリッカー量が増加に転じる直前の値となる（図１６の時刻ｔ１３参照）。
次に、制御回路２１は、信号ｓａ１、ｓａ２をデータ解析部３２から取得する（ステップＳＴ４６）。この信号ｓａ１、ｓａ２は、ステップＳＴ４５の処理後のフリッカーの検出結果を示す。制御回路２１は、取得した信号ｓａ１、ｓａ２に基づいてフリッカー量を特定し、フリッカー量が増加したかどうかを判断する（ステップＳＴ４７）。制御回路２１は、フリッカー量が増加していないと判断した場合には（ステップＳＴ４７；ＮＯ）、ステップＳＴ４５の処理に戻る。そして、制御回路２１は、処理ステップＳＴ４５〜ＳＴ４７の処理を、フリッカー量が増加するまで繰り返し実行する（図１６の時刻ｔ１３〜ｔ１４参照）。
制御回路２１は、ステップＳＴ４７の処理でフリッカー量が増加したと判断した場合（ステップＳＴ４７；ＹＥＳ）、この時点のＶｃｏｍ設定値に「１」を加算する（ステップＳＴ４８）。以上の処理によりＶｃｏｍ調整処理が終了し、Ｖｃｏｍ設定値が最適値に設定されたこととなる（図１６の時刻ｔ１５参照）。
すなわち、Ｖｃｏｍ調整処理は、電圧ＬＣｃｏｍの調整によりフリッカー量を小さくするための処理である。
【００５６】
図１４に戻って説明する。
ステップＳＴ４のＶｃｏｍ調整処理が終了すると、制御回路２１は、このＶｃｏｍ調整処理によって、対向電極１０８に印加されている電圧が、Ｖｃｏｍ調整処理を行う前よりも、正に増加したかどうかを判断する（ステップＳＴ５）。制御回路２１は、対向電極１０８に印加される電圧ＬＣｃｏｍが調整前より正に増加した場合には（ステップＳＴ５；ＹＥＳ）、表示データＶｉｄｅｏの解析結果を表示データ処理回路２２から取得し、表示パネル１０におけるＡＰＬを特定する（ステップＳＴ６）。ＡＰＬは、表示パネル１０に表示されている画像の輝度の高低の指標となる値である。
【００５７】
次に、制御回路２１は、直前のステップＳＴ６の処理で特定したＡＰＬが閾値Ｔｈ１以下、又は、閾値Ｔｈ２以上かどうかを判断する（ステップＳＴ７）。制御回路２１は、ＡＰＬが閾値Ｔｈ１以下、又は、閾値Ｔｈ２以上のいずれでもないと判断した場合には（ステップＳＴ７；ＮＯ）、ステップＳＴ６の処理に戻る。すなわち、制御回路２１は、ＡＰＬが閾値Ｔｈ１以下、又は、閾値Ｔｈ２以上のいずれかとなるまで、ステップＳＴ６、ＳＴ７の処理を繰り返し実行する（図１６の時刻ｔ１〜ｔ２参照）。
【００５８】
閾値Ｔｈ１、Ｔｈ２は、それぞれ、液晶１０５における予め定められた相対透過率に対応した値である。閾値Ｔｈ１は、例えば、液晶容量１２０の相対透過率１０％に対応する第１閾値であり、電圧Ｖｔｈ１を印加したときの液晶１０５の相対透過率である。すなわち、ＡＰＬが閾値Ｔｈ１以下である場合、表示パネル１０は、例えば全黒表示又は全黒表示に近い状態であり、相対的に暗い画像（特定画像）が支配的な状態である。閾値Ｔｈ２は、例えば、液晶容量１２０の相対透過率９０％に対応する第２閾値であり、電圧Ｖｔｈ２を印加したときの液晶１０５の相対透過率である。すなわち、ＡＰＬが閾値Ｔｈ２以上である場合、表示パネル１０は、全白表示又は全白表示に近い状態であり、相対的に明るい画像（特定画像）が支配的な状態である。
【００５９】
そして、制御回路２１は、ＡＰＬが閾値Ｔｈ１以下、又は、閾値Ｔｈ２以上になったと判断すると（ステップＳＴ７；ＹＥＳ）、自身のレジスターに記憶された設定値に「１」を加算する（ステップＳＴ８）。設定値に「１」を加算する処理は、１フレームにおいて正極性フィールドの期間長を長くする処理である。駆動を開始したときには、レジスターの値が「０」であるため、ここでレジスターの値は「＋１」になり、スタートパルスＤｙｂの出力タイミングがタイミングＴより遅くなる（図１２、図１３参照）。ここで、表示パネル１０の各画素においては、正極性電圧で保持された電圧実効値が高められ、負極性電圧で保持された電圧実効値が低められる。そして、制御回路２１は、ステップＳＴ２の処理に戻る。
【００６０】
一方、ステップＳＴ４のＶｃｏｍ調整処理により、対向電極１０８に印加される電圧ＬＣｃｏｍが調整前より負に増加した場合（ステップＳＴ５；ＮＯ）、制御回路２１は、表示データＶｉｄｅｏの解析結果を表示データ処理回路２２から取得し、表示パネル１０におけるＡＰＬを特定する（ステップＳＴ９）。次に、制御回路２１は、直前のステップＳＴ９の処理で測定したＡＰＬが閾値Ｔｈ１以下、又は、閾値Ｔｈ２以上かどうかを判断する（ステップＳＴ１０）。制御回路２１は、ＡＰＬが閾値Ｔｈ１以下、又は、閾値Ｔｈ２以上でないと判断した場合には（ステップＳＴ１０；ＮＯ）、ステップＳＴ９の処理に戻る。すなわち、制御回路２１は、処理ステップＳＴ６、ＳＴ７と同様、ＡＰＬが閾値Ｔｈ１以下、又は、閾値Ｔｈ２以上のいずれかとなるまでは、ステップＳＴ９、ＳＴ１０の処理を繰り返し実行する。
【００６１】
制御回路２１は、ＡＰＬが閾値Ｔｈ１以下、又は、閾値Ｔｈ２以上になったと判断すると（ステップＳＴ１０；ＹＥＳ）、自身のレジスターに記憶された設定値から「１」を減算する（ステップＳＴ１１）。設定値から「１」を減算する処理は、１フレームにおいて負極性フィールドの期間長を長くする処理である。駆動を開始したときには、レジスターの値が「０」であるため、ここでレジスターの値は「−１」になり、スタートパルスＤｙｂの出力タイミングがタイミングＴより早くなる（図１０、図１１参照）。ここで、画素においては、負極性電圧で保持された電圧実効値が高められ、正極性電圧で保持された電圧実効値が低められる。そして、制御回路２１は、ステップＳＴ２の処理に戻る。
以降においても、制御回路２１は、図１４に示す処理を繰り返し実行し、フリッカー量が閾値以上となると、対向電極１０８の電圧及びレジスターの値を変更することにより、フリッカーを減少させる（図１６の時刻ｔ２以降参照）。
【００６２】
ところで、電気光学装置１は、フリッカー量が閾値以上となり、Ｖｃｏｍ調整処理を実行した後は、ＡＰＬが閾値Ｔｈ１以下、又は、閾値Ｔｈ２以上になるまで待機して、１フレームにおける正極性フィールド及び負極性フィールドの期間長の割合を変更する（例えば図１６の時刻ｔ１〜ｔ２、時刻ｔ３〜ｔ４参照）。このようにしているのは、フリッカーを抑えるための正極性フィールド及び負極性フィールドの期間長の変更に起因して、表示パネル１０に大きな輝度変化が発生するのを抑えるためである。
【００６３】
図１７は、液晶容量１２０に印加される電圧と相対透過率との関係を表した曲線（Ｖ−Ｔ特性）を示すグラフである。図１７（ａ）は、ノーマリーホワイトモードである液晶容量１２０のＶ−Ｔ特性を示し、図１７（ｂ）は、ノーマリーブラックモードである液晶容量１２０のＶ−Ｔ特性を示す。図１７（ａ）、（ｂ）に示すグラフにおいて、横軸は液晶容量１２０への印加電圧の大きさを表し、縦軸は液晶容量１２０の相対透過率の大きさを表す。
本実施形態では、液晶容量１２０はノーマリーホワイトモードに設定されているので、ここではノーマリーホワイトモードの場合を説明する。図１７に示す「Ｔｈ１」及び「Ｔｈ２」は、前述した閾値を規定する輝度に対応した相対透過率を意味している。
なお、液晶１０５が閾値Ｔｈ１の相対透過率となるときの液晶容量１２０に対する印加電圧はＶｔｈ１であり、閾値Ｔｈ２の相対透過率となるときの液晶容量１２０に対する印加電圧はＶｔｈ２である。
【００６４】
図１７（ａ）を見て分かるように、ＡＰＬが閾値Ｔｈ１以下、又は、閾値Ｔｈ２以上の範囲では、閾値Ｔ１よりも大きく閾値Ｔｈ２よりも小さい中間階調を含む範囲に比べて、Ｖ−Ｔ特性の曲線の傾きが小さい。これは、ＡＰＬが閾値Ｔｈ１以下、又は、閾値Ｔｈ２以上の範囲では、液晶容量１２０に印加される電圧が変化した場合の液晶の相対透過率の変化が、中間階調を含む範囲での変化に比べて小さいことを意味している。すなわち、ＡＰＬが閾値Ｔｈ１以下、又は、閾値Ｔｈ２以上の範囲では、ステップＳＴ８又はＳＴ１１の処理で、１フレームにおける正極性フィールド及び負極性フィールドの期間長の割合の変更が行われても、実効電圧の変化に対する輝度変化を小さくすることができる。仮に、ＡＰＬが中間階調付近のときに、この変更が行われると、実効電圧の変化に対する輝度変化が相対的に大きくなり、この輝度変化がユーザーによって視認されやすい。
以上の主旨から、閾値Ｔｈ１、Ｔｈ２は、Ｔｈ１＜Ｔｈ２の関係を満たす前提で、実験結果や経験則等に基づいて、大きな輝度変化が生じないような、他の相対透過率に対応した値に定められてもよい。閾値Ｔｈ１、Ｔｈ２は、例えば、Ｖ−Ｔ特性の曲線の傾きが閾値以下となる透過率範囲（輝度範囲）に基づいて定められてもよい。
【００６５】
以上説明した第１実施形態のように、電気光学装置１では、１フレームにおける正極性フィールド及び負極性フィールドの期間長の変更による輝度変化を、ユーザーによって視認されにくくするために、フリッカー量が閾値以上になった場合であっても、直ちにこの期間長を変更するのではなく、輝度変化が小さくなるような特定画像を表示パネル１０に表示するまで待機する。よって、電気光学装置１によれば、フリッカーを抑制するために大きな輝度変化が表示パネル１０に生じにくくなり、ユーザーにより視認される画像の表示品位の低下を抑えることができる。
また、電気光学装置１は、レジスターの値を変更する前に、フリッカー量が最小となるように対向電極１０８の電圧を変更して、画素が正極性電圧を保持したときと負極性電圧を保持したときとで電圧実効値の差を小さくしてからレジスターの値を変更するため、レジスターの値を変更したときに画素の明るさの差の変化が更に小さくなり、画素の輝度変化がユーザーによって視認されにくくなる。
【００６６】
＜第２実施形態＞
次に、本発明の第２実施形態について説明する。
この実施形態でも、電気光学装置１は、フリッカー量が閾値以上になった場合にＶｃｏｍ調整を行い、輝度変化が小さくなる画像を表示パネル１０に表示するまで待機して、１フレームにおける正極性フィールド及び負極性フィールドの期間長の割合を変更する。上述した第１実施形態と異なる点は、この実施形態の電気光学装置１が、スタートパルスＤｙｂの出力タイミングの変更により期間長を変更するのではなく、１フレームにおける各フィールドの極性の規定の仕方により、この変更を行う点にある。
【００６７】
以下の説明において、第１実施形態と同じ構成要素及び処理ステップについては同一の符号を付して表し、その説明を省略する。また、この実施形態の電気光学装置１のハードウェア構成は、第１実施形態の構成と同じでよいから、その説明を省略する。
ただし、この第２実施形態では、レジスターの初期設定を第１設定値にしているものとする。この第１設定値は、制御回路２１が、１フレームのうち、第３フィールドを正極性フィールドとし、第１、第２及び第４フィールドを負極性フィールドとする。この場合、１フレームに占める２５％の期間が正極性フィールドであり、７５％の期間が負極性フィールドである。この第１設定値は、表示パネル１０において、フリッカーを最小にするための電圧ＬＣｃｏｍが正に変化するための期間長に対応している（図９参照）。一方、本実施形態の第２設定値は、１フレームのうち、第１、第２及び第３フィールドを正極性フィールドとし、第４フィールドを負極性フィールドとする。この場合、１フレームに占める７５％の期間が正極性フィールドであり、２５％の期間が負極性フィールドである。この第２設定値は、表示パネル１０において、フリッカーを最小にするための電圧ＬＣｃｏｍが負に変化するための期間長に対応している（図９参照）。
【００６８】
図１８は、制御回路２１が実行する処理の流れを示すフローチャートである。
まず、制御回路２１は、信号ｓａ１、ｓａ２をデータ解析部３２から取得する（ステップＳＴ１２）。この信号ｓａ１、ｓａ２は、フリッカーの最新の検出結果を示す。次に、制御回路２１は、上述した第１実施形態と同様の処理ステップＳＴ１〜ＳＴ４を実行することにより、フリッカー量が閾値以上となった場合にＶｃｏｍ調整処理を行う。
Ｖｃｏｍ調整処理の後、制御回路２１は、レジスターの値を第１設定値として、表示パネル１０を駆動しているかどうかを判断する（ステップＳＴ１３）。ここでは、制御回路２１は、第１設定値として表示パネル１０を駆動していると判断して（ステップＳＴ１３；ＹＥＳ）、ステップＳＴ６の処理に進む。そして、制御回路２１は、ステップＳＴ６、ＳＴ７の処理を実行し、ＡＰＬが閾値Ｔｈ１以下、又は、閾値Ｔｈ２以上になるまで待機する。制御回路２１は、ＡＰＬが閾値Ｔｈ１以下、又は、閾値Ｔｈ２以上になったと判断すると（ステップＳＴ７；ＹＥＳ）、レジスターの値を第１設定値から第２設定値に変更して、表示パネル１０を駆動する（ステップＳＴ１４）。
【００６９】
前述のように、初期設定を第１設定値にすると、表示パネル１０では、電荷移動の非対称性によって徐々に、フリッカーを最小にするための電圧ＬＣｃｏｍが正に変化する。その理由は、画素電極基板又は対向電極基板に電荷の偏りが生じて、正極性印加時と負極性印加時の印加電圧の対称点が変化したことに相当するからである。これによって、共通電極電位Ｖｃｏｍがどのような値に設定されていたとしても、最終的には、フリッカーを最小にするための電圧ＬＣｃｏｍと共通電極電位Ｖｃｏｍとの差が増加していき、表示パネル１０ではフリッカーが増加する。そこで、フリッカー量が閾値に達したときに、制御回路２１が第１設定値から第２設定値に変更することによって、フリッカーを最小にするための電圧ＬＣｃｏｍは正から負に変化するので、フリッカーを減少させることができる。
【００７０】
次に、制御回路２１は、電気光学装置１を通電した状態で、予め定められた一定時間（例えば２秒）をカウントする（ステップＳＴ１５）。この一定時間は２秒に限定されるものではなく、２秒未満又は２秒を超える時間であってもよい。制御回路２１は、一定時間をカウントし終えると、信号ｓａ１、ｓａ２をデータ解析部３２から取得する（ステップＳＴ１６）。次に、制御回路２１は、ステップＳＴ１６の処理で取得した信号ｓａ１、ｓａ２に基づいて、フリッカー量が閾値以上かどうかを判断する（ステップＳＴ１７）。この閾値は、ステップＳＴ３の処理で用いる閾値と同じ値であり、ユーザーが表示パネル１０を見たときにフリッカーとして視認されない値に設定されている。
ここで、制御回路２１は、フリッカー量が閾値未満でないと判断した場合には（ステップＳＴ１７；ＮＯ）、ステップＳＴ１５の処理に戻る。一方、制御回路２１は、閾値未満であると判断した場合には（ステップＳＴ１７；ＹＥＳ）、ステップＳＴ２の処理に戻る。
【００７１】
一方、ステップＳＴ５の処理で、制御回路２１が第２設定値として表示パネル１０を駆動していると判断すると、ステップＳＴ１３の処理で「ＮＯ」と判断し、ステップＳＴ９の処理に進む。そして、制御回路２１は、ＡＰＬが閾値Ｔｈ１以下、又は、閾値Ｔｈ２以上になるまで待機する（ステップＳＴ９、ＳＴ１０）。制御回路２１は、ＡＰＬが閾値Ｔｈ１以下、又は、閾値Ｔｈ２以上になったと判断すると（ステップＳＴ１０；ＹＥＳ）、レジスターの値を第２設定値から第１設定値に変更して駆動する（ステップＳＴ１８）。
【００７２】
設定値を第２設定値にすると、表示パネル１０では、電荷移動の非対称性によって徐々に、フリッカーを最小にするための電圧ＬＣｃｏｍが負に変化する。これによって、共通電極電位Ｖｃｏｍがどのような値に設定されていたとしても、最終的には、フリッカーを最小にするための電圧ＬＣｃｏｍと共通電極電位Ｖｃｏｍとの差が増加していき、表示パネル１０ではフリッカーが増加する。そこで、フリッカー量が閾値に達したときに、制御回路２１が第２設定値から第１設定値に変更することによって、フリッカーを最小にするための電圧ＬＣｃｏｍは負から正に変化するので、フリッカーを減少させることができる。そして、制御回路２１は、上述の手順で処理ステップＳＴ１５〜ＳＴ１７の処理を実行する。
【００７３】
以上説明したとおり、制御回路２１は、フリッカー量が閾値以上であると判断すると、Ｖｃｏｍ調整を行ってフリッカーを減少させた後、ＡＰＬが閾値Ｔｈ１以下、又は、閾値Ｔｈ２以上になるまで待機して、フリッカーを最小にするための電圧ＬＣｃｏｍの変化の方向を一方から他方に変更するように、レジスターの値を変更する。
以上説明した第２実施形態によれば、電気光学装置１は、スタートパルスの出力タイミングを変化させなくとも、フリッカーの量を一定範囲内での変化に抑えることにより、フリッカー量が過大になるのを防止することができる。
なお、各フィールドのデータ信号の極性の仕方は前述の方法でなくてもよく、１フレームにおける正極性フィールド及び負極性フィールドの期間長の割合によって、フリッカーを最小にするための電圧ＬＣｃｏｍの変化の方向を所望する方向にすることができればよい。
【００７４】
＜変形例＞
本発明は、上述した実施形態と異なる形態で実施することが可能である。また、以下に示す変形例は、各々を適宜に組み合わせてもよい。
上述した各実施形態おいては、液晶容量１２０を電圧無印加状態において白色を表示するノーマリーホワイトモードとしたが、電圧無印加状態において黒色を表示するノーマリーブラックモードとしてもよい。図１７（ｂ）にノーマリーブラックモードに設定された液晶容量１２０のＶ−Ｔ特性を示すが、この場合であっても、制御回路２１が、ＡＰＬが閾値Ｔｈ１以下、又は、閾値Ｔｈ２以上になったときには、１フレームにおける正極性フィールド及び負極性フィールドの期間長の割合の変更を許可する。図１７（ｂ）では、液晶容量１２０を閾値Ｔｈ１の相対透過率にするための印加電圧をＶｔｈ３とし、閾値Ｔｈ２の相対透過率にするための印加電圧をＶｔｈ４としている。一方で、制御回路２１は、ＡＰＬが閾値Ｔｈ１よりも大きく、且つ、閾値Ｔｈ２未満のときには、１フレームにおける正極性フィールド及び負極性フィールドの期間長の割合の変更を許可しない。
この変形例の電気光学装置１によっても、レジスターの値を変更したときの表示パネル１０の輝度変化が大きくなるのを抑えて、この輝度変化をユーザー視認されにくくすることができる。
【００７５】
上述した各実施形態おいては、制御回路２１は、表示データＶｉｄｅｏを解析して得たＡＰＬに基づいて、正極性フィールド及び負極性フィールドの期間長を変更するタイミングを決定していたが、それ以外の条件に基づいてこのタイミングを決定してもよい。この場合、上述したステップＳＴ６、ＳＴ７の処理及びＳＴ９、ＳＴ１０の処理を、以下の処理に変更するとよい。
【００７６】
例えば、制御回路２１は、表示パネル１０の明るさを検出する光センサーの検出結果に基づいて、１フレームにおける正極性フィールド及び負極性フィールドの期間長の割合を変更するかどうかを判定してもよい。この場合、データ解析部３２は、工場出荷時や電気光学装置１の起動時、映像表示モードの切り替え時等の所定の時期に、表示パネル１０で全白表示及び全黒表示したときの、光センサー３１による直流成分の検出結果（ＤＣ値）を、例えば、自身又は制御回路２１の内部メモリーに記憶させる。ここでの全白表示は、例えば、表示パネル１０の全画素の相対透過率が１００％の画像を表示する場合をいい、全黒表示は、例えば、表示パネル１０の全画素の相対透過率が０％の画像を表示する場合をいう。そして、データ解析部３２は、下記式（１）の関係を満たすように、表示パネル１０に含まれる画素の平均透過率を算出する。データ解析部３２は、算出した平均透過率（ＡＣ値）を、制御回路２１へ出力する。
平均透過率＝（現在のＤＣ値）／（全白表示時のＤＣ値−全黒表示時のＤＣ値）×１００％  ・・・（１）
【００７７】
そして、制御回路２１は、式（１）の演算により算出した平均透過率が予め定められた条件を満たしたときには変更を許可する。例えば、制御回路２１は、センサーの検出結果に基づいて、平均透過率が第１閾値以下、又は、第１閾値よりも大きい第２閾値以上のときに、この変更を許可し、それ以外のときにはその変更を許可しない。
なお、全白表示時のＤＣ値及び全黒表示時のＤＣ値は、表示パネル１０に光を照射する光源の劣化や、映像表示モード等によって変化することがある。よって、電気光学装置１は、起動時又は映像表示モードの切り替え時に、全白表示時のＤＣ値及び全黒表示時のＤＣ値を検出することが望ましい。
【００７８】
また、表示パネル１０の明るさを検出するセンサーは、例えば、照度を検知するセンサー等の他のセンサーであってもよい。また、表示パネル１０の明るさを検出するセンサーは、表示パネル１０の全画素、又は、一部の複数画素からなる領域の明るさを検出してもよい。
また、制御回路２１は、相対透過率が閾値Ｔｈ１以下、又は、閾値Ｔｈ２以上の画素からなる画像のサイズ（画素数）に基づいて、１フレームにおける正極性フィールド及び負極性フィールドの期間長の割合を変更するかどうかを判定してもよい。この場合、制御回路２１は、サイズが所定値（例えば、表示領域１００の面積の５０％）以上の領域で、相対透過率が閾値Ｔｈ１以下、又は、閾値Ｔｈ２以上の画素からなる特定画像を表示しているときには変更を許可し、この特定画像を表示していないときには、その変更を許可しない。
また、制御回路２１は、表示画像の色に基づいて、この変更を許可するかどうかを判定してもよい。制御回路２１は、例えば、赤系や青系の色ように輝度変化が目立ちにくい特定画像を表示しているときには、変更を許可し、緑系の色のように輝度変化が目立ちにくいときには、その変更を許可しない。
以上のとおり、制御回路２１は、表示パネル１０への特定画像の表示によって輝度変化を視認されにくくすればよい。具体的には、制御回路２１は、輝度変化が発生しにくい、又は、輝度変化が視認されにくい特定条件を満たす画像を表示するタイミングを、１フレームにおける正極性フィールド及び負極性フィールドの期間長の割合を変更するタイミングとして決定すればよい。
【００７９】
本発明の電気光学装置は、４倍速駆動に限られず、例えば２倍速駆動や８倍速駆動等の他の倍速駆動を採用する電気光学装置にも適用可能である。また、本発明の電気光学装置は、倍速駆動を採用する電気光学装置に限定されない。
【００８０】
上述した各実施形態においては、４８０行目の画素の明るさを光センサー３１で検知しているが、明るさを検知する画素を４８０行目に限定されるものではなく他の行の画素でもよい。
【００８１】
上述した各実施形態においては、検出回路３０は、光センサー３１を用いて画素の明るさを検知することにより、フリッカー量を検出しているが、フリッカー量を検出する方法は、上述した実施形態の方法に限定されるものではない。例えば、画素に流れる電流を検知するセンサーを設け、正極性電圧印加時に画素に流れる電流と、負極性電圧印加時に画素に流れる電流の差を検出し、この差からフリッカー量を検出するようにしてもよい。
【００８２】
上述した各実施形態において、電気光学装置１は、対向電極１０８の電圧ＬＣｃｏｍをＶｃｏｍ調整処理により調整していたが、電圧ＬＣｃｏｍを調整しなくてもよい。
上述した各実施形態の電気光学装置１おいては、複数の走査線を第１走査線群と第２走査線群に分けて、１つのフィールドにおいて、第１走査線群におけるいずれか１本の走査線と、第２走査線群におけるいずれか１本とを交互に選択するとともに、１つのフィールドにおいて各走査線を２回ずつ選択する、いわゆる倍速領域走査反転駆動を用いている。本発明では、どのような順番で走査線を選択してもよく、例えば、１行目から６４０行目の方向に順番に、走査線を選択してもよい。
【００８３】
次に、上述した各実施形態に係る電気光学装置を用いた電子機器の一例として、表示パネル１０をライトバルブとして用いた投射型表示装置（プロジェクター）について説明する。図１９は、このプロジェクターの構成を示す平面図である。
図１９に示すように、プロジェクター２１００の内部には、ハロゲンランプ等の白色光源からなるランプユニット２１０２が設けられている。このランプユニット２１０２から射出された投射光は、内部に配置された３枚のミラー２１０６及び２枚のダイクロイックミラー２１０８によってＲ色、Ｇ色、Ｂ色の３原色に分離されて、各原色に対応するライトバルブ１０Ｒ、１０Ｇ及び１０Ｂにそれぞれ導かれる。なお、Ｂ色の光は、他のＲ色やＧ色と比較すると、光路が長いので、その損失を防ぐために、入射レンズ２１２２、リレーレンズ２１２３及び出射レンズ２１２４からなるリレーレンズ系２１２１を介して導かれる。
【００８４】
このプロジェクター２１００では、表示パネル１０を含む電気光学装置が、Ｒ色、Ｇ色、Ｂ色のそれぞれに対応して３組設けられる。ライトバルブ１０Ｒ、１０Ｇ及び１０Ｂの構成は、上述した表示パネル１０と同様である。Ｒ色、Ｇ色、Ｂ色のそれぞれの原色成分の映像信号がそれぞれ外部上位回路から供給されて、ライトバルブ１０Ｒ、１０Ｇ及び１０がそれぞれ駆動される構成となっている。
ライトバルブ１０Ｒ、１０Ｇ、１０Ｂによってそれぞれ変調された光は、ダイクロイックプリズム２１１２に３方向から入射する。そして、このダイクロイックプリズム２１１２において、Ｒ色及びＢ色の光は９０度に屈折する一方、Ｇ色の光は直進する。したがって、各原色の画像が合成された後、スクリーン２１２０には、投射レンズ２１１４によってカラー画像が投射されることとなる。ダイクロイックプリズム２１１２Ｒには、Ｒ色に対応した光センサー３１Ｒが設けられ、ダイクロイックプリズム２１１２Ｇには、Ｇ色に対応した光センサー３１Ｇが設けられ、ダイクロイックプリズム２１１２Ｂには、Ｂ色に対応した光センサー３１Ｂが設けられる。各光センサーの構成は、上述した各実施形態と同じでよいし、それを用いた処理についても、上述した各実施形態と同じでよい。また、各光センサーは、これとは別の位置に設けられてもよい。
【００８５】
なお、ライトバルブ１０Ｒ、１０Ｇ及び１０Ｂには、ダイクロイックミラー２１０８によって、Ｒ色、Ｇ色、Ｂ色のそれぞれに対応する光が入射するので、カラーフィルターを設ける必要はない。また、ライトバルブ１０Ｒ、１０Ｂの透過像は、ダイクロイックプリズム２１１２により反射した後に投射されるのに対し、ライトバルブ１０Ｇの透過像はそのまま投射されるので、ライトバルブ１０Ｒ、１０Ｂによる水平走査方向は、ライトバルブ１０Ｇによる水平走査方向と逆向きにして、左右を反転させた像を表示する構成となっている。
【００８６】
また、プロジェクター２１００は、各色成分に対応する複数のライトバルブを有するものに限定されない。プロジェクター２１００は、単一のライトバルブを有していてもよい。この場合、光学フィルター等を用いて画素毎に対応する色が設定される。また、ライトバルブは、透過型の液晶パネルを用いたものに限定されない。プロジェクター２１００は、反射型の液晶パネル、又は、有機ＥＬ（Electro-Luminescence）パネル等の液晶以外の電気光学素子、若しくはデジタルミラーデバイス等を用いたものであってもよい。また、ランプユニット２１０２に代えて、ＬＥＤ（Light Emitting Diode）や半導体レーザー等の固体光源が、プロジェクター２１００の光源として採用されてもよい。
【００８７】
電子機器としては、図１９を参照して説明したプロジェクターの他にも、テレビジョンや、ビューファインダー型・モニター直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等が挙げられる。そして、これらの各種の電子機器に対して、上記電気光学装置が適用可能である。
【符号の説明】
【００８８】
１…電気光学装置、１０…表示パネル、１０５…液晶、１０８…対向電極、１１８…画素電極、１２０…液晶容量、１３０…走査線駆動回路、１４０…データ線駆動回路、２０…処理回路、２１…制御回路、２２…表示データ処理回路、２３…Ｄ／Ａ変換回路、３０…検出回路、３１…光センサー、３２…データ解析部、２１００…プロジェクター。
【図１】
2014164017.tif 000003
【図２】
2014164017.tif 000004
【図３】
2014164017.tif 000005
【図４】
2014164017.tif 000006
【図５】
2014164017.tif 000007
【図６】
2014164017.tif 000008
【図７】
2014164017.tif 000009
【図８】
2014164017.tif 000010
【図９】
2014164017.tif 000011
【図１０】
2014164017.tif 000012
【図１１】
2014164017.tif 000013
【図１２】
2014164017.tif 000014
【図１３】
2014164017.tif 000015
【図１４】
2014164017.tif 000016
【図１５】
2014164017.tif 000017
【図１６】
2014164017.tif 000018
【図１７】
2014164017.tif 000019
【図１８】
2014164017.tif 000020
【図１９】
2014164017.tif 000021